(57)【特許請求の範囲】
【請求項１】
室内外の境界部に設けられた枠体と、前記枠体に回動自在に支持されて、前記室内外を連通する開口を閉止可能な障子と、
を有し、
前記枠体は、前記開口を閉止した前記障子の室外側の面より見込み方向室外側に位置し、前記障子の戸先側にて当該障子と見込み方向に対向する障子対向壁部を有し、
前記障子は、戸先框と、吊元框と、前記戸先框と前記吊元框とにそれぞれ設けられ前記開口を閉止した閉止状態にて、前記障子対向壁部より見込み方向室外側に突出するホルダー間に掛け渡された棒状体を有するタオル掛けと、を有し、
前記戸先框に設けられた前記ホルダーは、前記閉止状態において、前記障子対向壁部の見込み方向室外側と対向する規制位置と対向することなく当該ホルダーに収容される非規制位置とにわたって移動可能な規制部材を備え、
前記規制部材は、前記非規制位置において、外部に露出する外周面が、収容されている前記ホルダーの外周面と繋がった形状をなし、前記規制位置に移動されて当該ホルダーの前記外周面より外側に突出することを特徴とする浴室建具。
【請求項２】
請求項１に記載の浴室建具であって、
前記規制部材を前記非規制位置から前記規制位置に移動する過程において、当該規制部材の移動を抑制する付勢力が作用することを特徴とする浴室建具。
【請求項３】
請求項１または請求項２に記載の浴室建具であって、
前記規制部材は、前記ホルダーに収容されて見付け方向にスライドすることにより移動することを特徴とする浴室建具。
【請求項４】
請求項３に記載の浴室建具であって、
前記ホルダーは、見付け方向に沿うレールを有し、
前記規制部材は、前記レールが挿入されるガイド溝を有していることを特徴とする浴室建具。
【請求項５】
請求項１乃至請求項４のいずれかに記載の浴室建具であって、
前記規制部材には、第１ストッパーと第２ストッパーとが見付け方向に並べて設けられており、
前記ホルダーは、前記第１ストッパーが収容される第１収容部と、前記第２ストッパーが収容され見付け方向に並べて設けられた２つの第２収容部とを有し、
前記非規制位置にて前記第１ストッパーが前記第１収容部に収容されるとともに、前記第２ストッパーが前記ホルダーの前記２つの第２収容部のうちの吊元側の前記第２収容部に収容され、前記規制位置にて前記第１ストッパーが前記ホルダーの外に突出するとともに、前記第２ストッパーが前記ホルダーの前記２つの第２収容部のうちの戸先側の前記第２収容部に収容されることを特徴とする浴室建具。
【請求項６】
請求項１または請求項２に記載の浴室建具であって、
前記規制部材は、見込み方向に沿う軸に支持されて前記ホルダーに回動自在に設けられており、回動することにより移動することを特徴とする浴室建具。
【発明の詳細な説明】
【技術分野】
【０００１】
本発明は、浴室建具に関する。
【背景技術】
【０００２】
浴室建具としては、小さな子供が単独で浴室内に入れないように、障子の、小さな子供の手が届かないような高い位置に、操作部を備えて浴室外側から施錠及び解除可能な、所謂チャイルドロックと呼ばれる施錠機構を備えた浴室建具が知られている(例えば、特許文献１参照)。
【先行技術文献】
【特許文献】
【０００３】
【特許文献１】特開２００３−１８４３８８号公報
【発明の概要】
【発明が解決しようとする課題】
【０００４】
しかしながら、障子の、小さな子供の手が届かないような高い位置にチャイルドロックの操作部が設けられている場合には、操作部が目立つため、障子及び浴室建具の意匠性が損なわれる虞があるという課題がある。
【０００５】
本発明は、かかる課題に鑑みてなされたものであり、その目的とするところは、室外側から施錠及び解除可能な施錠機構を備えつつも意匠性に優れた浴室建具を提供することにある。
【課題を解決するための手段】
【０００６】
かかる目的を達成するために本発明の浴室建具は、室内外の境界部に設けられた枠体と、前記枠体に回動自在に支持されて、前記室内外を連通する開口を閉止可能な障子と、  を有し、前記枠体は、前記開口を閉止した前記障子の室外側の面より見込み方向室外側に位置し、前記障子の戸先側にて当該障子と見込み方向に対向する障子対向壁部を有し、  前記障子は、戸先框と、吊元框と、前記戸先框と前記吊元框とにそれぞれ設けられ前記開口を閉止した閉止状態にて、前記障子対向壁部より見込み方向室外側に突出するホルダー間に掛け渡された棒状体を有するタオル掛けと、を有し、前記戸先框に設けられた前記ホルダーは、前記閉止状態において、前記障子対向壁部の見込み方向室外側と対向する規制位置と対向することなく当該ホルダーに収容される非規制位置とにわたって移動可能な規制部材を備え、前記規制部材は、前記非規制位置において、外部に露出する外周面が、収容されている前記ホルダーの外周面と繋がった形状をなし、前記規制位置に移動されて当該ホルダーの前記外周面より外側に突出することを特徴とする浴室建具である。
このような浴室建具によれば、障子を閉止した状態で規制部材を突出させたまま障子を開こうとすると、突出している規制部材が障子対向壁部と干渉して移動が規制されるので、開口は障子により閉止された状態（若干開いた状態も含む）が保たれる。また、規制部材は、障子に設けられたホルダーに設けることにより、視認しにくくなるので、施錠機構を備えつつも障子及び浴室建具の意匠性を損なわない。このため、室外側から施錠及び解除可能な施錠機構を備えつつも意匠性に優れた浴室建具を提供することにある。
【０００７】
かかる浴室建具であって、前記規制部材を前記非規制位置から前記規制位置に移動する過程において、当該規制部材の移動を抑制する付勢力が作用することが望ましい。  
このような浴室建具によれば、規制部材をホルダーから突出させる際には、規制部材の移動抑制する付勢力が作用するので、規制部材を突出させるためには、付勢力より大きな力にて規制部材を規制位置方向に移動させる必要がある。このため、容易に突出させにくく、たとえば、誤操作による突出や、また、小さな子供などによる突出操作を抑制できる規制部材を備えることが可能である。
【０００８】
かかる浴室建具であって、前記規制部材は、前記ホルダーに収容されて見付け方向にスライドすることにより移動することが望ましい。
このような浴室建具によれば、規制部材をスライドさせることによって、規制部材を規制位置方向に突出させ、また、ホルダーに収容することが可能である。
【０００９】
かかる浴室建具であって、前記ホルダーは、見付け方向に沿うレールを有し、前記規制部材は、前記レールが挿入されるガイド溝を有していることが望ましい。
【００１０】
かかる浴室建具であって、前記規制部材には、第１ストッパーと第２ストッパーとが見付け方向に並べて設けられており、前記ホルダーは、前記第１ストッパーが収容される第１収容部と、前記第２ストッパーが収容され見付け方向に並べて設けられた２つの第２収容部とを有し、前記非規制位置にて前記第１ストッパーが前記第１収容部に収容されるとともに、前記第２ストッパーが前記ホルダーの前記２つの第２収容部のうちの吊元側の前記第２収容部に収容され、前記規制位置にて前記第１ストッパーが前記ホルダーの外に突出するとともに、前記第２ストッパーが前記ホルダーの前記２つの第２収容部のうちの戸先側の前記第２収容部に収容されることが望ましい。
【００１１】
かかる浴室建具であって、前記規制部材は、見込み方向に沿う軸に支持されて前記ホルダーに回動自在に設けられており、回動することにより移動することが望ましい。  
このような浴室建具によれば、規制部材を見込み方向に沿う軸を中心に回動させることによって、規制部材を戸先方向に突出させ、また、ホルダー側に入り込ませることが可能である。
【発明の効果】
【００１２】
本発明によれば、室外側から施錠及び解除可能な施錠機構を備えつつも意匠性に優れた浴室建具を提供することが可能である。
【図面の簡単な説明】
【００１３】
【図１】本実施形態に係る浴室建具を脱衣室側から見た正面図である。
【図２】本実施形態に係る浴室建具の水平断面図である。
【図３】タオル掛けの戸先側のホルダーの構造を説明するための斜視図である。
【図４】スライダーを移動させる操作を説明するための斜視図である。
【図５】第１ストッパーと第２ストッパーの作用を説明するための縦断面図である。
【図６】戸先側のホルダーに設けられた規制部材の変形例を示す斜視図である。
【図７】規制部材の変形例の構造を説明するための斜視図である。
【発明を実施するための形態】
【００１４】
以下、本発明の一実施形態に係る浴室建具について図を参照して説明する。
【００１５】
本実施形態に係る浴室建具１０は、浴室内外の境界部に設けられ、図１、図２に示すように、浴室内外を連通し浴室の出入口をなす開口１０ａを形成する枠体１１と、枠体１１に回動自在に支持されて開口１０ａを閉止可能な障子２０と、を有している。
【００１６】
以下の説明においては、建物等に取り付けられた状態の浴室建具１０を浴室外としての脱衣側から見たときに、上下となる方向を上下方向、左右となる方向を左右方向または見付け方向、浴室内外方向である奥行き方向を見込み方向として示す。また、浴室建具１０が備える各部材は、単体として説明する場合であっても、建物等に取り付けられた状態で上下方向、見付け方向、見込み方向等となる方向にて方向を特定して説明する。また、見込み方向浴室側および見込み方向脱衣室側（見込み方向浴室外側）は、それぞれ単に浴室側、脱衣室側（浴室外側）として説明する。また、本実施形態の障子は、脱衣室側から見たときに右側が吊元側となるため、以下の説明では、脱衣室側から見て右側を吊元側、脱衣室側から見て左側を戸先側とも称する。また、浴室側は室内側に相当し、脱衣室側（浴室外側）は室外側に相当する。
【００１７】
枠体１１は、開口１０ａの上縁をなす上枠１２と、開口１０ａの下縁をなす下枠１３と、開口１０ａの左右の縁をなす左右の縦枠１４と、を有している。そして、上下に間隔を隔てて対向する上枠１２及び下枠１３の両端にそれぞれ縦枠１４が突き当てられるとともに、縦枠１４をそれぞれ見付け方向に貫通するビスが上枠１２または下枠１３に螺合されて矩形状に枠組みされている。ここで、上枠１２、下枠１３、縦枠１４は、いずれも押出成形部材である。尚、上枠１２、下枠１３、縦枠１４は押出成形部材に限らず、他の成形方法によって成形されたものでもよい。
【００１８】
左右の縦枠１４は、互いに左右が反転した対称の構造をなしている。このため、ここでは左右の縦枠１４の同一部位に同符号を付し、脱衣室側から見て左側に位置する戸先側となる縦枠１４を例に挙げて説明する。
【００１９】
左の縦枠１４は、図２に示すように、上下方向に連通する平断面が矩形状をなす中空部１５ａを有する縦枠本体１５と、縦枠本体１５の開口１０ａ側の内壁部１５ｂと同一平面を形成し脱衣室側に延出されている延出壁部１５ｃと、延出壁部１５ｃの見込み方向におけるほぼ中央部分から開口１０ａの中央側に突出された突出壁部１５ｄとを有している。突出壁部１５ｄには、先端部に浴室側に向かって開放された溝状をなし、シール材（不図示）が嵌入されるシール材嵌入部１５ｅが設けられている。
【００２０】
枠体１１の上枠１２、下枠１３には、２本の縦枠１４とともに矩形状に枠組みされたときに、縦枠１４の突出壁部１５ｄと見込み方向における同位置に、壁部（不図示）とシール材嵌入部（不図示）とが設けられており、上枠１２、下枠１３、２本の縦枠１４の各々のシール材嵌入部１５ｅにシール材が嵌入されると、浴室方向に突出したシール材が矩形状をなすように構成されている。そして、各突出壁部１５ｄより浴室側に設けられている障子２０が閉じられたときに、障子２０が有する框体２５が、矩形状をなすシール材に当接されて止水性が確保される。ここで、突出壁部１５ｄが、開口１０ａを閉止した障子２０の浴室外側の面より脱衣室側（浴室外側）に位置し、障子２０の戸先側にて障子２０と見込み方向に対向する障子対向壁部に相当する。
【００２１】
障子２０は、図１、図２に示すように、上框２１、下框２２、戸先框２３、吊元框２４が矩形状に框組みされた框体２５と、框体２５の内周側に設けられる透光性を有する板材２６と、を有している。図１、図２において、左側に設けられた戸先框２３には上下方向におけるほぼ中央に、障子２０を開閉するための固定ハンドル２７が設けられており、また、固定ハンドル２７より下側には、戸先框２３と吊元框２４との間に架け渡されたタオル掛け２８が設けられている。
【００２２】
タオル掛け２８は、障子２０が開口１０ａを閉止した閉止状態にて、縦枠１４の突出壁部１５ｄより脱衣室側（浴室外側）に突出している。
タオル掛け２８は、戸先框２３及び吊元框２４にそれぞれ固定され、平面視ほぼＬ字状をなす左右のホルダー２８ａ、２８ｂと、２つのホルダー２８ａ、２８ｂ間に架け渡された棒状体２８ｃとを有している。
【００２３】
戸先框２３に設けられたホルダー２８ａは、戸先框２３に固定されて脱衣室側に延びる固定部２８ｄと、固定部２８ｄの脱衣室側先端にて固定部２８ｄとほぼ９０度をなして棒状体２８ｃが係止される係止部２８ｅとを有している。吊元框２４に設けられたホルダー２８ｂは、吊元框２４に固定されて見込み方向脱衣室側に延びる固定部２８ｆと、固定部２８ｆの脱衣室側先端にて固定部２８ｆとほぼ９０度をなして棒状体２８ｃが係止される係止部２８ｇとを有している。
【００２４】
戸先框２３に設けられたホルダー２８ａの係止部２８ｅには、図３に示すように、見付け方向に移動可能な規制部材としてのスライダー３０が収容されるスライダー収容部２９が設けられている。スライダー収容部２９は、スライダー３０が収容されてホルダー２８ａの外周面とスライダー３０の外部に露出する外周面とが繋がった形状をなすように、スライダー３０が収容されるように形成されている。より具体的には、スライダー３０は、ホルダー２８ａの外形形状から突出することなく、ホルダー２８ａの外形形状が繋がって（連続して）スライダー３０がホルダー２８ａの一部をなして見えるようにスライダー収容部２９に収容される。
【００２５】
スライダー収容部２９は、ホルダー２８ａの上側に位置する上覆部２９ａ、下側に位置する下支持部２９ｂ、スライダー収容部２９の浴室側にてスライダー３０と対向する框側対向壁部２９ｃ、スライダー収容部２９の見付け方向棒状体２８ｃ側にてスライダー３０と対向する棒状体側対向壁部２９ｄにて形成されている。
【００２６】
上覆部２９ａの下面と下支持部２９ｂの上面には、それぞれ脱衣室側に偏った位置にて互いに対向する側に突出させて（つまり、互いに接近する方向に突出させて）見付け方向に沿うレール２９ｅが設けられている。また、上覆部２９ａの下面には、レール２９ｅより浴室側に、後述する第１ストッパー３１が収容される第１収容部２９ｆ（図５）と、第２ストッパー３２が収容される第２収容部２９ｇ（図５）とが上方に窪ませて形成されている。
【００２７】
スライダー３０は、ほぼ直方体状をなす樹脂製の部材であり、上下の面には脱衣室側に偏った位置に、ホルダー２８ａの上覆部２９ａ及び下支持部２９ｂにそれぞれ設けられたレール２９ｅが挿入されるガイド溝３３が設けられている。また、スライダー３０において障子２０の戸先側であって、スライダー収容部２９の浴室側対向壁部２９ｃと対向する側は、戸先側の縦枠１４に向かって、漸次見付け方向の幅が狭くなるような傾斜面３０ｂが設けられている。
【００２８】
スライダー３０における浴室側、すなわちガイド溝３３が設けられている部位より浴室側は、下方に向かって開放された中空部が形成されており、中空部の上に位置する上板部３４には、上下方向に移動可能な第１ストッパー３１と第２ストッパー３２とが設けられている。
【００２９】
第１ストッパー３１と第２ストッパー３２とは、見付け方向に並べて設けられており、第１ストッパー３１が戸先側に、第２ストッパー３２が吊元側に配置されている。第１ストッパー３１と第２ストッパー３２はいずれも、スライダー３０の上方と中空部とを上下方向に連通する、平面視ほぼＵ字状をなすＵ字開孔３４ａが上板部３４に設けられることによりＵ字開孔３４ａに囲まれるように形成された中央部３５の先端側に形成されている。そして、中央部３５は、Ｕ字開孔３４ａの繋がっていない側にて片持ち支持された状態となり、中央部３５が弾性により撓むことにより先端側に設けられた第１ストッパー３１と第２ストッパー３２が上下方向に移動するように形成されている。このとき、第１ストッパー３１と第２ストッパー３２の片持ち支持された側が障子２０の吊元側に位置し、先端側が戸先側に位置するように設けられている。
【００３０】
第１ストッパー３１は、上板部３４より上方に突出させて形成されており、戸先側の部位が、戸先側に向かって漸次厚みが薄くなるような傾斜面３１ａを有しており、吊元側の端部は、ほぼ鉛直な平面でなる規制壁３１ｂを有している。
【００３１】
第２ストッパー３２も上板部３４より上方に突出させて形成されているが、第１ストッパー３１より上方への突出量は小さく、戸先側及び吊元側がいずれも傾斜面を有する山形状をなしている。
【００３２】
スライダー３０の脱衣室に臨む面３０ｃには、スライダー３０を戸先側に突出させるためのコイン８０が係合される係合部としてのスリット３０ａが２カ所設けられている。ホルダー２８ａに収容されたスライダー３０は、ホルダー２８ａより外側に突出する部位を有しないため突出させにくい。そこで、図４に示すように、スライダー３０を戸先側に突出させるための操作具としてコイン８０を用い、コイン８０をスリット３０ａに挿入させて操作することによりスライダー３０を容易に移動させることができるようにスリット３０ａが設けられている。
【００３３】
そして、スライダー３０がホルダー２８ａに収容された状態である非規制位置では、図５（ａ）に示すように、第１ストッパー３１がホルダー２８ａの上覆部２９ａに設けられた第１収容部２９ｆに、第２ストッパー３２が上覆部２９ａに設けられた吊元側の第２収容部２９ｇに収容されている。このとき、スライダー３０の傾斜面３１ａは、第１収容部２９ｆに設けられた傾斜対向面２９ｈと対面している。
【００３４】
このスライダー３０にて障子２０を施錠する場合、つまり、スライダー３０を図２に示すように規制位置とする場合には、スライダー３０の脱衣室側の面に設けられているスリット３０ａにコイン８０を係合させて、戸先方向に移動させる。この操作によりスライダー３０がホルダー２８ａの外側に突出し始める。このとき、第１ストッパー３１の傾斜面３１ａが第１収容部２９ｆの傾斜対向面２９ｈに当接され、更に戸先側に移動されることにより、図５（ｂ）に示すように、中央部３５に撓みが生じ第１ストッパー３１が下方に移動する。また、第２ストッパー３２も第２収容部２９ｇの斜面に当接され、更に戸先側に移動されることにより中央部３５に撓みが生じて下方に移動する。このとき、第１ストッパー３１及び第２ストッパー３２が下方に移動する際に、中央部３５に撓みを生じさせる力が、スライダー３０の戸先側への移動を抑制する付勢力として作用するので、スライダー３０は容易に戸先側に移動しない。特に、スライダー３０は、ホルダー２８ａに収容された状態にて外部に露出している部位がホルダー２８ａの外径形状と繋がって突出していないので、操作者はスライダー３０を把持し難く、力も作用させ難い。このため、コイン８０をスリット３０ａに挿入して操作することにより、スライダー３０の移動が可能となる。
【００３５】
その後、更にスライダー３０を戸先側に移動させると、図５（ｃ）に示すように、第１ストッパー３１がホルダー２８ａの外側に突出し、第１ストッパー３１が設けられている中央部３５を撓ませている力が解除されるので、第１ストッパー３１が上方に移動し、規制壁３１ｂがホルダー２８ａの戸先側の外面と対向する。このとき、第２ストッパー３２は、戸先側に位置する第２収容部２９ｇと対向する位置に移動し、第２ストッパー３２が設けられている中央部３５を撓ませている力が解除されるので、第２ストッパー３２が上方に移動してスライダー３０の戸先側への移動が規制されて停止する。すなわち、スライダー３０は、見付け方向において、戸先側にも吊元側にも移動が規制される。この状態にて、スライダー３０は、戸先側の縦枠１４に設けられた突出壁部１５ｄの脱衣室側にて突出壁部１５ｄと対向する位置である規制位置まで突出しているため、障子２０を開くことができないようになる。また、スライダー３０が突出した状態で、スライダー３０をホルダー２８ａに入り込む方向、すなわち吊元側に単に移動させてホルダー２８ａ内に収容しようとしても、規制壁３１ｂがホルダー２８ａの外周面に当接されるので、スライダー３０を吊元側に移動させることはできない。つまり、突出壁部１５ｄの脱衣室側（浴室外側）と対向する規制位置から、突出壁部１５ｄの脱衣室側（浴室外側）と対向しない非規制位置に移動させることができない。
【００３６】
スライダー３０を吊元側である非規制位置に移動させるには、図５（ｄ）に示すように、第１ストッパー３１を下方に移動させつつスライダー３０を吊元側に押圧することにより、スライダー３０の吊元側への規制が解除されて移動させることが可能となる。
【００３７】
本実施形態の浴室建具１０によれば、障子２０が閉止した閉止状態において、突出壁部１５ｄより脱衣室側に突出するタオル掛け２８のホルダー２８ａに備えられて、見付け方向において障子２０の戸先側に移動可能なスライダー３０が突出すると、スライダー３０は枠体１１が有する突出壁部１５ｄの脱衣室側面と対向する。このため、障子２０が閉止した状態でスライダー３０を突出させたまま障子２０を開こうとすると、突出しているスライダー３０が突出壁部１５ｄと干渉してそれ以上の開放が規制されるので、開口１０ａは障子２０により閉止された状態、もしくは、人が通過できない程度に若干開いた状態が保たれる。よって、スライダー３０の移動により障子２０を施錠及び解除することが可能である。また、スライダー３０は、障子２０に設けられたタオル掛け２８のホルダー２８ａに入り込む、すなわち収容されることにより、視認しにくくなるので、施錠機構を備えつつも障子２０及び浴室建具１０の意匠性を損なわない。このため、浴室外側から施錠及び解除可能な施錠機構を備えつつも意匠性に優れた浴室建具１０を提供することが可能である。
【００３８】
また、スライダー３０はホルダー２８ａ側に入り込んで収容され状態では、外部に露出する周面の形状がホルダー２８ａの外周形状と繋がって連続した表面を形成しているので、ホルダー２８ａ側に入り込んだスライダー３０は、把持しにくい。また、スライダー３０をホルダー２８ａから突出させる際には、スライダー３０の移動を抑制する付勢力が作用するので、付勢力より大きな力にてスライダー３０を突出方向、すなわち戸先側に移動させる必要がある。つまり、スライダー３０を非規制位置から規制位置に移動する過程においてスライダー３０の移動を抑制する付勢力が作用するため、スライダー３０は容易には突出させにくいので、誤って突出させることを防止することが可能である。また、小さな子供などには突出させにくいスライダー３０を備えることが可能である。そして、スライダー３０に設けられたスリット３０ａにコイン８０を係合させて操作することにより容易にスライダー３０を突出させることが可能である。
【００３９】
また、タオル掛け２８のホルダー２８ａから突出したスライダー３０は、規制壁３１ｂがホルダー２８ａの外周面に当接することにより収容される方向への移動が規制されているので、スライダー３０が突出している状態（規制位置）を維持させることが可能である。また、スライダー３０を収容される方向（非規制位置）に移動させる際には、規制壁３１ｂによる規制を解除しなければならないので、スライダー３０を誤ってホルダー２８ａ内に入り込ませたり、小さな子供によってホルダー２８ａに入り込む方向に移動されることを防止することが可能である。このため、チャイルドロック機能を備えた浴室建具１０を提供することが可能である。
【００４０】
また、スライダー３０をスライドさせることによって、スライダー３０を戸先方向に突出させ、また、ホルダー２８ａに収容することが可能なので、簡単な機構にて脱衣室側から施錠する機構を備えることが可能である。
【００４１】
また、スライダー３０が設けられる部位、すなわち収容される部位は、タオル掛け２８のホルダー２８ａなので、スライダー３０が設けられる部位を、別部材として設ける必要はない。このため、浴室建具１０の意匠性を損なうことなく、脱衣室側から施錠及び解除可能な施錠機構を備えることが可能である。
【００４２】
上記実施形態においては、脱衣室側からの施錠機構を、見付け方向に移動可能なスライダー３０により構成する例について説明したが、たとえば、図６、図７に示すように、規制部材を、見込み方向に沿う軸に支持されてホルダー５０に回動自在に設けられており、回動することにより規制位置や非規制位置に移動する形態であっても構わない。この場合には、図７に示すように、ホルダー５０が、ホルダー本体５１と、規制部材としての回動体５２とを有している。ホルダー本体５１と回動体５２とは、回動体５２が戸先側に突出していない非規制位置の状態では、回動体５２の先端がホルダー５０側と見込み方向に重なるように構成されている。このとき、ホルダー本体５１の最も脱衣室側の面と回動体５２の脱衣室側の面とは、ほぼ同一平面を形成し、回動体５２の周面と、ホルダー本体５１の、回動体５２と隣接する周面とが繋がるような外形形状をなしている。
【００４３】
ホルダー本体５１には、回動体５２に設けられた回動軸５２ａが挿入されて回動体５２の回動中心をなす回動軸孔５１ａと、回動体５２を回動させる際に回動体５２の移動を抑制する付勢力を付与する付勢力付与部５１ｂと、回動して戸先側に突出した回動体５２の吊元側への移動を規制する規制部５１ｃとを有している。
【００４４】
付勢力付与部５１ｂは、見込み方向に連通する、ほぼＵ字状をなすＵ字開孔５１ｄが設けられることによりＵ字開孔５１ｄに囲まれるように形成された中央部５１ｅの先端側に、脱衣室側に突出する傾斜面にて形成されている。そして、中央部５１ｅは、Ｕ字開孔５１ｄの繋がっていない側にて片持ち支持された状態となり、中央部５１ｅが弾性により撓むことにより先端側に設けられた付勢力付与部５１ｂが見込み方向に移動するように形成されている。
【００４５】
規制部５１ｃは、ホルダー本体５１に設けられた収容孔５１ｆに収容されて見込み方向に移動可能な円柱状の移動部材５１ｇと、移動部材５１ｇの浴室側に位置するコイルスプリング５１ｈが設けられて構成されている。そして、移動部材５１ｇは、コイルスプリング５１ｈにより脱衣室側に付勢されており、回動体５２が取り付けられていない状態では、移動部材５１ｇに設けられた係止部５１ｉが収容孔５１ｆに設けられた係止凹部５１ｊに係止されて脱衣室側に突出している。
【００４６】
回動体５２は、ホルダー本体５１と対面する側の面、すなわち浴室側面に、当該浴室側面から浴室側に突出する回動軸５２ａと、脱衣室側に窪んで、ホルダー本体５１の付勢力付与部５１ｂが収容される凹部５２ｂが設けられている。凹部５２ｂは、ホルダー本体５１に設けられた付勢力付与部５１ｂと対面するような傾斜面を有している。
【００４７】
そして、回動軸５２ａが回動軸孔５１ａに挿入されて、回動体５２がホルダー本体５１と重なっている状態で、付勢力付与部５１ｂが回動体５２に設けられた凹部５２ｂに収容され、移動部材５１ｇはコイルスプリング５１ｈを圧縮しつつ収容孔５１ｆに収容されている。
【００４８】
この回動体５２にて障子２０を施錠する場合には、回動体５２の下端側を戸先側に移動させることにより回動体５２を回動し、回動体５２がホルダー本体５１の外側に突出し始める。このとき、回動体５２の移動に伴って凹部５２ｂが戸先側に移動することにより中央部５１ｅに撓みが生じ、付勢力付与部５１ｂが浴室側に移動する。このとき、付勢力付与部５１ｂが浴室側へ移動する際に、中央部５１ｅに撓みを生じさせる力が、回動体５２の戸先側への移動を抑制する付勢力として作用するので、回動体５２は容易に戸先側に移動しない。つまり、回動体５２を非規制位置から規制位置に移動する過程において、回動体５２の移動を抑制する付勢力が作用するため、回動体５２は容易には突出させにくいので、誤って突出させることを防止することが可能である。
【００４９】
その後、更に回動体５２を戸先側に移動させて、回動体５２が移動部材５１ｇを通過すると、移動部材５１ｇがコイルスプリング５１ｈの付勢力により脱衣室側に突出する。突出した移動部材５１ｇにより回動体５２の吊元側への移動、つまり、非規制位置への移動が規制される。この状態にて、回動体５２は、戸先側の縦枠１４に設けられた突出壁部１５ｄの脱衣室側にて突出壁部１５ｄと対向する位置である規制位置まで突出しているため、障子２０を開くことができないようになる。また、回動体５２が突出した状態で、回動体５２を単に入り込む方向、すなわち吊元側である非規制位置に移動させてホルダー本体５１と重ねようとしても、移動部材５１ｇにより回動体５２が回動できないので、回動体５２を吊元側に移動させることはできない。
【００５０】
回動体５２を吊元側に移動させるには、移動部材５１ｇを浴室側に移動させつつ回動体５２を吊元側に回動させることにより、回動体５２の吊元側への規制を解除して移動させることが可能となる。
【００５１】
このような浴室建具１０によれば、回動体５２を見込み方向に沿う回動軸５２ａを中心に回動させることによって、回動体５２を戸先方向に突出させ、また、ホルダー５０側に入り込んで脱衣室側から施錠する機構を簡単な機構にて備えることが可能である。
【００５２】
上記実施形態においては、障子２０が框体２５と板材２６とを有している例について説明したが、これに限らず、パネル状の１枚の板材や高強度ガラスであっても構わない。
【００５３】
また、上記実施形態においては、縦枠１４の縦枠本体１５が矩形状をなす中空部１５ａを備えていたが、これに限ることなく、中空部を備えていない形状であってもよい。
【００５４】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５５】
１０  浴室建具、１０ａ  開口、１１  枠体、１５ｄ  突出壁部、２０  障子、
２８ａ  ホルダー、２９  スライダー収容部、２９ｆ  第１収容部、２９ｇ第２収容部、
３０  スライダー、３０ａ  スリット、３１  第１ストッパー、３２  第２ストッパー、
３５  中央部、５０  ホルダー、５１  ホルダー本体、５１ａ  回動軸孔、
５１ｂ  付勢力付与部、５１ｃ  規制部、５１ｅ  中央部、５１ｆ  収容孔、
５１ｇ  移動部材、５１ｈ  コイルスプリング、５２  回動体、５２ａ  回動軸、
５２ｂ  凹部、６０  固定ハンドル、６１  ホルダー、６５  回動ハンドル、
７０  操作部
【図１】
0005730692.tif 000002
【図２】
0005730692.tif 000003
【図３】
0005730692.tif 000004
【図４】
0005730692.tif 000005
【図５】
0005730692.tif 000006
【図６】
0005730692.tif 000007
【図７】
0005730692.tif 000008